【手続補正書】
【提出日】平成17年2月10日(2005.2.10)
【手続補正１】
【補正対象書類名】明細書
【補正対象項目名】発明の名称
【補正方法】変更
【補正の内容】
【発明の名称】中継器ユニット
【手続補正２】
【補正対象書類名】明細書
【補正対象項目名】特許請求の範囲
【補正方法】変更
【補正の内容】
【特許請求の範囲】
【請求項１】
中継器と、
この中継器の端部と対向する位置に、前記端部と離間して配置され、第１配線を収容する配線終端処理具と、
この配線終端処理具と、前記中継器とに挟まれた位置に配置され、前記中継器から延びる第２配線と、前記配線終端処理具に延びる前記第１配線とを連結する配線連結具が表面に設けられた配線連結ユニットとを備え、
前記配線連結ユニットの、前記配線連結具が設けられた表面は、前記配線終端処理具から露出した位置に配置されていることを特徴とする中継器ユニット。
【請求項２】
配線連結ユニットの、配線連結具が設けられた表面は、中継器の端部と対向していることを特徴とする中継器ユニット。
【請求項３】
配線連結ユニットの、配線連結具が設けられた表面は、中継器から露出した位置に配置されていることを特徴とする請求項１記載の中継器ユニット。
【請求項４】
配線連結ユニットは、配線連結具に取り付けられている第１配線と第２配線とを覆うカバーを備えていることを特徴とする請求項１記載の中継器ユニット。
【請求項５】
カバーは、透明であることを特徴とする請求項４記載の中継器ユニット。
【手続補正３】
【補正対象書類名】明細書
【補正対象項目名】０００１
【補正方法】変更
【補正の内容】
【０００１】
【発明の属する技術分野】
この発明は、中継器ユニットに関するものである。例えば、光海底ケーブルに接続されて伝送信号を増幅する光海底中継器に取り付けられる光海底中継器端末処理装置に係わり、光海底ケーブルを接続するまでの間、光海底中継器端末の給電用ケーブル、その先端に取り付けられた給電用チップ、及び給電用チップ先端より露出した光ファイバを保護収納するための光海底中継器端末処理装置に関するものである。
【手続補正４】
【補正対象書類名】明細書
【補正対象項目名】００１５
【補正方法】変更
【補正の内容】
【００１５】
【課題を解決するための手段】
本発明に係る中継器ユニットは、
中継器と、
この中継器の端部と対向する位置に、前記端部と離間して配置され、第１配線を収容する配線終端処理具と、
この配線終端処理具と、前記中継器とに挟まれた位置に配置され、前記中継器から延びる第２配線と、前記配線終端処理具に延びる前記第１配線とを連結する配線連結具が表面に設けられた配線連結ユニットとを備え、
前記配線連結ユニットの、前記配線連結具が設けられた表面は、前記配線終端処理具から露出した位置に配置されていることを特徴とする。
また、本発明に係る中継器ユニットは、配線連結ユニットの、配線連結具が設けられた表面は、中継器の端部と対向していることを特徴とする。
また、本発明に係る中継器ユニットは、配線連結ユニットの、配線連結具が設けられた表面は、中継器から露出した位置に配置されていることを特徴とする。
また、本発明に係る中継器ユニットは、配線連結ユニットは、配線連結具に取り付けられている第１配線と第２配線とを覆うカバーを備えていることを特徴とする。
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】変更
【補正の内容】
【００１７】
また、カバーは、透明であることを特徴とする。
【手続補正７】
【補正対象書類名】明細書
【補正対象項目名】００１８
【補正方法】変更
【補正の内容】
【００１８】
【発明の実施の形態】
実施の形態１．
図１は、本発明に係る光海底中継器端末処理構造を示す光海底中継器の全体図である。図１において、１は光海底中継器（中継器の一例である）、２は端面板である。また図２は図１のＡ部を示した図であり、図３は図２のＢ矢視図、図４は図２のＣ矢視図である。
【手続補正８】
【補正対象書類名】明細書
【補正対象項目名】００１９
【補正方法】変更
【補正の内容】
【００１９】
図２において、３は第１の端末処理具（配線連結ユニットの一例である）、４は第２の端末処理具（配線終端処理具の一例である）、５は第１の端末処理具３を端面板２に取付けるためのステー、６は第１の端末処理具３のカバー、７は給電用ケーブル（第２配線の一例である）、１１は第２の端末処理具４に収納されたダミー光ファイバ（第１配線の一例である）、１３はカバー６を第１の端末処理具３に取り付けるためのネジである。
【手続補正９】
【補正対象書類名】明細書
【補正対象項目名】００２０
【補正方法】変更
【補正の内容】
【００２０】
第１の端末処理具３の一方の面は、図３の通り、給電用ケーブル７およびその先端に取り付けられた給電用チップ８（配線連結具の一例である）、給電用チップ８を保護収納した給電用チップ保護具９、及び給電用チップ８の先端から露出する光ファイバ１０が収納可能な構造である。また他方の面には図４の通り、光ファイバ１０とダミー光ファイバ１１およびそれらの融着接続部を収納する光ファイバ融着部収納具１２が収納可能である。
【手続補正１０】
【補正対象書類名】明細書
【補正対象項目名】００２６
【補正方法】変更
【補正の内容】
【００２６】
なお、ダミー光ファイバ１１は、保護チューブ等により保護される形態で第２の端末処理具４に導かれ収納される。このとき、第２の端末処理具４は第１の端末処理具３のカバーの役目も果たしている。
この実施の形態１による光海底中継器端末処理構造によれば、端末処理具の両面に、給電用ケーブルおよびその先端に取り付けられた給電用チップ、および給電用チップを保護収納した給電用チップ保護具、および給電用チップの先端から露出する光ファイバを、一方の面から側面を通って他方の面につながった収納溝に連続して収納できる構造とし、かつ給電用チップを収納した面を光海底中継器の端面板と正対するように取り付けることで、製造工程において不可欠な給電用チップおよび光ファイバの検査が、カバーを外すだけで容易に実施可能となる。
この実施の形態１では、例えば、側面を通って他方の面につながる一方の面の収納溝に、給電用ケーブル、給電用ケーブルの先端に取り付けられた給電用チップ、及び給電用チップの先端から露出した光ファイバを収納可能な端末処理具と、
前記端末処理具の前記一方の面を覆うカバーとを有し、光海底中継器に取り付けられる光海底中継器端末処理装置であって、
前記一方の面を前記光海底中継器の端面板と正対するように取り付けられることを特徴とする光海底中継器端末処理装置について説明を行った。
【手続補正１１】
【補正対象書類名】明細書
【補正対象項目名】００２８
【補正方法】変更
【補正の内容】
【００２８】
第３の端末処理具１４は、前述の第１の端末処理具３と同じ機能を有している。図５はこの第３の端末処理具１４について、給電用チップ８および光ファイバ１０を収納した面が、端面板２に対して９０°の方向を向くように、ステー５によって取り付けられていることを示している。このような形態にすることによりカバー１５を外した時に給電用チップ８と光ファイバ１０が開放空間側に露出するため、検査作業性が向上する。なお、収納面は開放空間側を向くように取り付けられればよく、端面板２に対して９０°である必要はない。４０°〜５０°、５０°〜６０°、６０°〜７０°、７０°〜８０°、８０°〜９０°、９０°〜１００°、１００°〜１１０°、１１０°〜１２０°、１２０°〜１３０°、１３０°〜１４０°、１４０°〜１５０°、１５０°〜１６０°、１６０°〜１７０°、あるいは１７０°〜１８０°でも有効である。
この実施の形態２による光海底中継器端末処理構造によれば、前記端末処理具の給電用チップおよび光ファイバを収納した面を光海底中継器の端面板に対して、９０°の方向を向くように取り付けることにより、開放空間の方向を向くため、端面板との間で検査を行うことと比較してさらに検査作業性が向上する。なお、端面板に対する角度は必ずしも９０°である必要はない。
この実施の形態の中継器ユニットは、配線連結具が設けられた表面は、中継器から露出した位置に配置されているので、端面板との間で検査を行うことと比較してさらに検査作業性が向上する効果がある。
この実施の形態２では、例えば、側面を通って他方の面につながる一方の面の収納溝に、給電用ケーブル、給電用ケーブルの先端に取り付けられた給電用チップ、及び給電用チップの先端から露出した光ファイバを収納可能な端末処理具と、
前記端末処理具の前記一方の面を覆うカバーとを有し、光海底中継器に取り付けられる光海底中継器端末処理装置であって、
前記一方の面が開放空間の方向を向くように取り付けられることを特徴とする光海底中継器端末処理装置について説明を行った。
【手続補正１２】
【補正対象書類名】明細書
【補正対象項目名】００２９
【補正方法】変更
【補正の内容】
【００２９】
実施の形態３．
実施の形態３においては、前述の実施の形態１のカバー６を透明にすることで、カバー６を取り外すことなく光ファイバ１０の検査が可能となる。
この実施の形態の中継器ユニットは、カバーを透明にすることで、カバーを取り外すことなく光ファイバの検査を実施できるようになる効果がある。
【手続補正１３】
【補正対象書類名】明細書
【補正対象項目名】００３０
【補正方法】変更
【補正の内容】
【００３０】
実施の形態４．
実施の形態４においては、前述の実施の形態２のカバー１５を透明にすることで、カバー１５を取り外すことなく光ファイバ１０の検査が可能となる。
この実施の形態３、４による光海底中継器端末処理構造によれば、前記端末処理具のカバーを透明にすることで、カバーを外すことなく光ファイバの検査が可能となる。
【手続補正１４】
【補正対象書類名】明細書
【補正対象項目名】００３１
【補正方法】変更
【補正の内容】
【００３１】
【発明の効果】
この発明の中継器ユニットは、中継器から延びる第２配線と、配線終端処理具に延びる第１配線とを連結する配線連結具が表面に設けられた配線連結ユニットとを備えて、従来のように光ファイバが複数の端末処理具間にまたがることがないので、保護チューブを不要とする効果がある。また、保護チューブを不要とするので、光ファイバの検査の際に保護チューブから光ファイバを抜き取る作業をなくし、検査作業性を向上させる効果がある。また、第１配線と第２配線とを連結する配線連結具を配線連結ユニットの表面に設けたので、従来技術の様にほかの端末処理具を常時保持する必要をなくし、容易に検査が行えるという効果がある。
【手続補正１５】
【補正対象書類名】明細書
【補正対象項目名】００３２
【補正方法】削除
【補正の内容】
【手続補正１６】
【補正対象書類名】明細書
【補正対象項目名】００３３
【補正方法】削除
【補正の内容】